(57)【要約】【課題】上端部により締め付けできるがその生地のたわみがない下衣を提供する。【解決手段】少なくとも臀部を覆う本体部２を有し、該本体部２に胴側端から脚側の所定位置まで開口部５を形成し、該開口部５を係合部材１０により開閉できるようにした外側に着用する下衣であって、前記本体部２を、少なくとも周方向に伸縮性を有する生地で構成し、前記本体部２の胴側端部の内側面に、その周方向の略全周に亘って帯状の織ゴム１１を設けた。【選択図】  図１
2016065334.tif 000002
【特許請求の範囲】
【請求項１】
少なくとも臀部を覆う本体部を有し、該本体部に胴側端から脚側の所定位置まで開口部を形成し、該開口部を係合部材により開閉できるようにした外側に着用する下衣であって、
前記本体部を、少なくとも周方向に伸縮性を有する生地で構成し、前記本体部の胴側端部の内側面に、その周方向の略全周に亘って帯状の織ゴムを設けたことを特徴とする下衣。
【発明の詳細な説明】
【技術分野】
【０００１】
本発明は、下衣、より詳しくは外側に着用する下衣に関する。
【背景技術】
【０００２】
従来、ズボンのベルト部分に袋状のゴム挿入穴を設けて、ゴム挿入穴にゴムを挿入し、ゴムによりベルト部分を締め付けてズボンのずれ落ちを抑制するものが知られている。
【発明の概要】
【発明が解決しようとする課題】
【０００３】
前記従来のズボンでは、ベルト部分を構成する生地は、ゴムの伸びを考慮してズボンの周長より長い生地を用いているために、ベルト部の生地にしわが生じてしまう。
【０００４】
そのため、腰部の生地のたわみが外観の美観を損なってしまい、着用できる場が限定されてしまうという問題がある。
【０００５】
そこで、本発明は、上記問題点を解決した下衣を提供することを目的とするものである。
【課題を解決するための手段】
【０００６】
前記の課題を解決するために、請求項１記載の発明は、少なくとも臀部を覆う本体部を有し、該本体部に胴側端から脚側の所定位置まで開口部を形成し、該開口部を係合部材により開閉できるようにした外側に着用する下衣であって、
前記本体部を、少なくとも周方向に伸縮性を有する生地で構成し、前記本体部の胴側端部の内側面に、その周方向の略全周に亘って帯状の織ゴムを設けたことを特徴とするものである。
【発明の効果】
【０００７】
本発明によれば、本体部を周方向に伸縮性を有する生地で構成し、本体部の胴側端部の内側面に、その周方向の略全周に亘って帯状の織ゴムを設けたことにより、織ゴムの伸縮性を保持しつつ、本体部の胴側端部を構成する生地に伸縮分余裕を持たせる必要がないために、前記従来技術で生じる皺等が生じることなく、その外観の美観を向上させることができる。
【図面の簡単な説明】
【０００８】
【図１】本発明を長ズボンに適用した実施例における要部の斜視図。
【図２】図１の上端面図。
【図３】ベルト部分の一例を示す部分縦断面斜視図。
【図４】ベルト部分の他例を示す部分縦断面斜視図。
【発明を実施するための最良の形態】
【０００９】
本発明の下衣を、長ズボンに適用した図１乃至図４に示す実施例に基づいて説明する。
【００１０】
長ズボン１は、図１に示すように、少なくとも臀部と臀部の全周を覆う本体部２と、左右の脚を、夫々挿通できる脚部３，３を有する。本体部２と脚部３は、同じ生地で構成されている。
【００１１】
この生地は、少なくとも周方向に伸縮することがでる生地であれば任意の生地を用いることができる。生地の周方向への伸縮度は、１１０％以上２００％以下、好ましくは１１５％以上１５０％以下に設定する。伸縮度が１１５％より小さい場合には、ズボン１を細身に形成した場合に、ズボン１の着脱がしにくくなる場合がある。また、伸縮度が１５０％より大きい場合には、生地を構成している糸が切れてしまう恐れがある。
【００１２】
本体部２と脚部３を構成する生地としては、ポリウレタン糸を使用した伸長率が１１５％以上の布帛、ポリウレタン糸又はストレッチ性（伸縮性）を有する加工糸を使用した伸長率が１１５％以上の布帛、ポリウレタン糸又はストレッチ性（伸縮性）を有する加工糸を使用し、伸長率が１３０％以上で、かつ、トリコット編機で編んだ編物、ポリウレタン糸又はストレッチ性（伸縮性）を有する加工糸を使用し、伸長率が１１５％以上で、かつ、横編み機で編んだニット等を用いることができる。
【００１３】
本体部２は、その上端部にベルト部４を有し、ベルト部４も本体部２と同じ生地で構成し、その生地を少なくとも周方向に伸縮性が発揮されるように用いる。ベルト部４は、図３に示すように、２枚の生地４ａ，４ｂを表裏に重ね合わせて構成してもよいし、図４に示すように、１枚の生地４ｃを折り返し重ね合わせて構成するようにしてもよい。
【００１４】
また、本体部２には、ポケット等がデザインに応じて設けられている。ポケット等は本体部２と同じ生地でも異なる生地で構成してもよい。
【００１５】
本体部２には、図１，２に示すように、その前側の胴側端（上側端）から脚側方（下側）における所定位置まで開口部５が形成され、開口部５が前開きを構成している。
【００１６】
開口部５における、ベルト部４の一端部にはボタン６が設けられ、他端部にはボタン穴７が形成されている。また、その下部には線ファスナー８が設けられ、ボタン６、ボタン穴７、線ファスナー８が、係合部材１０を構成し、この係合部材１０により開口部５が開閉できるようになっている。なお、係合部材１０としては、開口部５を開閉可能に係合できれば、上記に限定されず、任意の部材を用いることができる。
【００１７】
本体部２の胴側端部の内側面、すなわち、ベルト部４の内側面には、図１〜４に示すように、ボタン穴７以外の部分に周方向の略全周に亘って、帯状で、かつ、少なくとも周方向に伸縮性を有する織ゴム１１が縫接され、織ゴム１１が最も内側に位置するように設けられている。織ゴム１１としては、長手方向に伸縮性を有する任意の織ゴムを用いることができるが、好ましくは、ジャガー織ゴムを用いる。織ゴム１１の長手方向の伸縮度は、本体部２を構成する生地の周方向への伸縮度より大きく設定されている。
【００１８】
本体部２を、その周方向に伸縮できる生地で構成するとともに、その内側に織ゴム１１を設けたことにより、織ゴム１１の伸縮性を確保しながら、本体部２を構成する生地に、その周方向への伸び分をとる必要がなく、従来技術のように、ベルト部４にしわが寄らず、外観の美観、デザイン性を向上させることができる
織ゴム１１には、色彩や模様を付することができるために、織ゴム１１によりデザインに変化を持たせることができ、ズボン１のデザイン性を向上させることができる。また、ズボン１の内側面に、織ゴム１１を設けたことにより、消費者に、そのズボン１を手に取ってもらいやすくなるとともに、その本体部２の周方向への伸縮性を有していることを理解してもらいやすくなる。
【００１９】
また、織ゴム１１を設けない場合には、本体部２を、その周方向に伸縮性を有する生地で構成していても使用中に生地が伸びてしまい、ベルト部４の着衣者の腰部への密着性が低下してしまうが、その内側に織ゴム１１を設けたことにより、ベルト部４の使用による生地の伸びを抑制し、ベルト部４の着衣者の腰部への密着性が低下することを抑制できる。
【００２０】
本体部２の内側に織ゴム１１を設けたことにより、ズボン２の内側にシャツ等を入れた際に、シャツ等がズボン１より外に飛び出すことを防止できるとともに、ズボン１のずれ落ちも抑制できる。また、織ゴム１１が着衣者の皮膚に直接接する場合においても、皮膚へ与える刺激を低減でき、ズボン１のずれ落ちも抑制できる。
【００２１】
なお、上記実施例は、本発明の下衣として長ズボンに適用した例であるが、外側に着用し、かつ、本体部に胴側端から脚側の所定位置まで開口部が形成された下衣であれば任意の下衣に本発明を適用することができ、例えば、半ズボン、スラックス、パンツ、スカート等の外側に着用する下衣に適用することができる。
【符号の説明】
【００２２】
１  ズボン（下衣）
２  本体部
５  開口部
１０  係合部材
１１  織ゴム
【図１】
2016065334.tif 000003
【図２】
2016065334.tif 000004
【図３】
2016065334.tif 000005
【図４】
2016065334.tif 000006